(57)【特許請求の範囲】
【請求項１】
トラクタに装着されて畦塗り作業を行う畦塗り機であって、
畦塗り用の土を耕耘して跳ね上げるロータリーと、
このロータリーにて耕耘されて跳ね上げられた土を旧畦に塗り付けて整畦する畦塗り体と、
前記ロータリーに駆動力を出力するロータリー出力軸を有するとともに前記畦塗り体に駆動力を出力する畦塗り体出力軸を有し、前記トラクタからの駆動力を伝達する伝動手段と、
左右水平方向の回動中心軸線を中心として回動調節可能に設けられ、前記ロータリー出力軸および前記畦塗り体出力軸の各々を回転可能に支持した単一伝動ケースと、
この単一伝動ケース側に設けられたスタンドを備え、
このスタンドで畦塗り機本体を持上げ支持した状態時に前記単一伝動ケースを回動調節することによりトラクタ連結部の高さ位置を設定可能な構成とされている
ことを特徴とする畦塗り機。
【請求項２】
単一伝動ケースは、ロータリーおよび畦塗り体のそれぞれが同じ高さ位置に設定された状態時に前記単一伝動ケースの回動中心軸線が畦塗り体出力軸の回転中心軸線と平面視で略一致するように配置されている
ことを特徴とする請求項１記載の畦塗り機。
【請求項３】
単一伝動ケースは、
ロータリーが先端部に固着されたロータリー出力軸をこのロータリー出力軸の回転中心軸線を前後方向に一致させた状態に支持するロータリー用支持部と、
畦塗り体が先端部に固着された畦塗り体出力軸をこの畦塗り体出力軸の回転中心軸線を左右水平方向に一致させた状態に支持する畦塗り体用支持部とを有する
ことを特徴とする請求項１または２記載の畦塗り機。
【発明の詳細な説明】
【０００１】
【発明の属する技術分野】
本発明は、トラクタに装着されて畦塗り作業を行う畦塗り機に関する。
【０００２】
【従来の技術】
従来の畦塗り機は、例えば、トラクタからの駆動力に基づいて回転することにより、畦塗り用の土を耕耘して跳ね上げるロータリーを備えるとともに、トラクタからの駆動力に基づいて回転することにより、ロータリーにて耕耘されて跳ね上げられた土を旧畦に塗り付けて整畦する畦塗り体を備えている。
【０００３】
このロータリーは、ロータリー用伝動ケースにて支持され、このロータリー用伝動ケース内の伝動手段から駆動力を受けて所定方向に回転する。また、畦塗り体は、畦塗り体用伝動ケースにて支持され、この畦塗り体用伝動ケース内の伝動手段から駆動力を受けて所定方向に回転する。
【０００４】
【発明が解決しようとする課題】
しかしながら、上記従来の畦塗り機は、ロータリー用伝動ケースと、畦塗り体用伝動ケースとが、別体の構成であるため、畦塗り機全体の重量が重く、小型のトラクタには適さない問題を有している。
【０００５】
本発明は、このような点に鑑みなされたもので、畦塗り機全体の重量が軽く、小型のトラクタに最適な畦塗り機を提供することを目的とする。
【０００６】
【課題を解決するための手段】
請求項１記載の畦塗り機は、トラクタにて装着されて畦塗り作業を行う畦塗り機であって、畦塗り用の土を耕耘して跳ね上げるロータリーと、このロータリーにて耕耘されて跳ね上げられた土を旧畦に塗り付けて整畦する畦塗り体と、前記ロータリーに駆動力を出力するロータリー出力軸を有するとともに前記畦塗り体に駆動力を出力する畦塗り体出力軸を有し、前記トラクタからの駆動力を伝達する伝動手段と、左右水平方向の回動中心軸線を中心として回動調節可能に設けられ、前記ロータリー出力軸および前記畦塗り体出力軸の各々を回転可能に支持した単一伝動ケースと、この単一伝動ケース側に設けられたスタンドを備え、このスタンドで畦塗り機本体を持上げ支持した状態時に前記単一伝動ケースを回動調節することによりトラクタ連結部の高さ位置を設定可能な構成とされているものである。
【０００７】
そして、この構成では、ロータリー用伝動ケースおよび畦塗り体用伝動ケースの両方の機能を単一伝動ケースに持たせることによって、ロータリー用伝動ケースと畦塗り体用伝動ケースとを一体の構成としたので、畦塗り機全体の重量が軽く、小型のトラクタに最適であり、また、単一伝動ケースを左右水平方向の回動中心軸線を中心として回動調節することによって、圃場の土の状態等に応じてロータリーの作業深さを容易に設定可能である。また、単一伝動ケースを回動調節することによりトラクタ連結部の高さ位置を設定できるので、畦塗り機のトラクタへの装着作業が簡単になる。
【０００８】
請求項２記載の畦塗り機は、請求項１記載の畦塗り機において、単一伝動ケースは、ロータリーおよび畦塗り体のそれぞれが同じ高さ位置に設定された状態時に前記単一伝動ケースの回動中心軸線が畦塗り体出力軸の回転中心軸線と平面視で略一致するように配置されているものである。
【０００９】
そして、この構成では、例えば単一伝動ケースの回動中心軸線と畦塗り体出力軸の回転中心軸線とを同じ水平面内に位置させた構成等と比べて、畦塗り体の高さ位置の変動が小さくなる。
【００１０】
請求項３記載の畦塗り機は、請求項１または２記載の畦塗り機において、単一伝動ケースは、ロータリーが先端部に固着されたロータリー出力軸をこのロータリー出力軸の回転中心軸線を前後方向に一致させた状態に支持するロータリー用支持部と、畦塗り体が先端部に固着された畦塗り体出力軸をこの畦塗り体出力軸の回転中心軸線を左右水平方向に一致させた状態に支持する畦塗り体用支持部とを有するものである。
【００１１】
そして、この構成では、単一伝動ケースのロータリー用支持部で、ロータリーが先端部に固着されたロータリー出力軸を適切に支持でき、単一伝動ケースの畦塗り体用支持部で、畦塗り体が先端部に固着された畦塗り体出力軸を適切に支持できる。
【００１２】
【発明の実施の形態】
以下、本発明の畦塗り機の一実施の形態の構成を図面を参照して説明する。
【００１３】
図１ないし図５において、１は農作業機としての畦塗り機で、この畦塗り機１は、トラクタＴに着脱可能に装着され、このトラクタＴによって牽引されて畦塗り作業を行うものである。
【００１４】
この畦塗り機１の畦塗り機本体1aは、トラクタＴの後端部に連結される略左右対称形状の固定機枠であるトラクタ側フレーム２を備え、このトラクタ側フレーム２は、畦塗り機１のトラクタＴと対向する側である前側位置に配置されている。
【００１５】
このトラクタ側フレーム２は、畦塗り機１の後方に向って開口した外形略直方体で箱形状のベース部３を有しており、このベース部３には、トラクタＴの後端部に設けられた作業機連結部としての三点リンク機構Ｔ1（三点ヒッチ式）に連結されるトラクタ連結部としての三点連結部４がトラクタＴ側である前方に向って突設されている。三点連結部４は、畦塗り機本体1aの前端部に設けられており、例えば、トップピン５を有するトップマスト６、ロワピン７を有する左右一対のロワアーム８，８等にて構成されている。
【００１６】
また、ベース部３の下部の左右方向の中央位置には、軸受け部11にて回転可能に軸支された入力軸12が前方に向って突設され、この入力軸12の先端側にトラクタＴのＰＴＯ軸（図示せず）がユニバーサルジョイントを介して連結されているとともに、この入力軸12の基端側に軸方向に伸縮自在の動力伝達軸体13の軸本体部材13cの一端側が連結部材13aを介して連結されている。なお、図５に示すように動力伝達軸体13の外周側には保護カバー14が取り付けられている。この保護カバー14は、動力伝達軸体13と一体となって周方向に回転しないように図示しないチェーンで回転規制されている。
【００１７】
さらに、ベース部３の上部の左右方向の中央位置には、軸方向が上下方向に一致したアーム連結部としての第１の支軸体15が設けられており、この第１の支軸体15は、互いに上下に離間対向した上板部16および中間板部17にて支持されている。なお、入力軸12と第１の支軸体15とは互いに直交状に配置され、これらの入力軸12および第１の支軸体15は、それぞれ、図１に示されるように、平面からみてトラクタＴの左右方向の長さの中心を結んだ線である左右方向中心線Ｘ上に常時位置している。
【００１８】
また、ベース部３の左右一対の側板部18,19のうちの一方の側板部19、すなわち、図１中、右側の側板部19は、畦塗り機１の前後方向である幅方向の寸法が左側の側板部18に比べて短い寸法に設定されている。また、この右側の側板部19の内面側には、互いに上下に離間対向した一対のピン保持体としてのピン保持板21,21がこの右側の側板部19の内面に沿って水平面状に固着されている。
【００１９】
各ピン保持板21は、畦塗り機１の前後方向に長手方向を有する細長矩形板形状に形成され、長手方向の一端部が左側の側板部18より畦塗り機１の後方側の位置に位置し、上板部16および中間板部17の後端より畦塗り機１の後方に向って突出している。そして、各ピン保持板21の突出した一端部には、上下に貫通したピン挿通用孔22が形成されている。
【００２０】
また、畦塗り機１の畦塗り機本体1aは、図１ないし図５に示すように、トラクタ側フレーム２に長手方向の一端側である基端側が回動可能に連結され、この一端側である基端側の上下方向の回動中心軸線Ｙ1（第１の支軸体15の軸心を通る線）を中心として回動調節可能な細長形状の第１の連結アーム体23を備えており、この第１の連結アーム体23は基端側の回動中心軸線Ｙ1を中心とした回動により他端側である先端側が水平面に沿って往復移動する。なお、第１の連結アーム体23は、例えば、長手方向の中間で折り曲げられることなく、長手方向に一直線状に形成された四角筒状の一本のアーム形成部材24のみで形成されている。
【００２１】
この第１の連結アーム体23は、長手方向の一端側である基端側に、上下に開口した細長円筒形状の第１の連結部25aが形成されており、この第１の連結部25a内に第１の支軸体15が回動可能に挿通保持されている。なお、この第１の連結アーム体23の長手方向の他端側である先端側には、第１の連結部25aと同一形状の上下に開口した細長円筒形状の第２の連結部25bが形成されている。
【００２２】
また、第１の連結アーム体23の長手方向の中央部下面には、軸方向が上下方向に一致した連結軸部26が下方に向って突出形成されており、この連結軸部26に、第１の連結アーム体23の回動を規制してこの第１の連結アーム体23をトラクタ側フレーム２に対して固定する細長板形状の第１の固定体27の長手方向の一端部が回動可能に連結されている。この第１の固定体27は、長手方向の一端部を中心として水平面に沿って揺動自在に配置され、長手方向の中央部には上下面に貫通した第１孔28が開口形成され、長手方向の他端部である自由端部には上下面に貫通した第２孔29が開口形成されている。
【００２３】
さらに、第１の連結アーム体23の長手方向に沿った一側面（図１中、右側の側面）には、長手方向の略中央位置に、互いに上下に離間対向した一対のピン保持体としての一側ピン保持板部31，31が側方に向って水平面状に突出形成されており、各一側ピン保持板部31には上下に貫通したピン挿通用孔32が形成されている。
【００２４】
また、第１の連結アーム体23の長手方向に沿った他側面（図１中、左側の側面）には、長手方向の略中央位置より先端側寄りの位置に、互いに上下に離間対向した一対のピン保持体としての他側ピン保持板部33，33が側方に向って水平面状に突出形成されており、各他側ピン保持板部33には上下に貫通したピン挿通用孔34が形成されている。一側ピン保持板部31と他側ピン保持板部33とは同一形状に形成されている。なお、第１の連結アーム体23は、図４に示されるように、トラクタ側フレーム２側の基端から先端に向って徐々に下方に傾斜した傾斜状に位置している。
【００２５】
さらに、畦塗り機１の畦塗り機本体1aは、図１ないし図５に示すように、第１の連結アーム体23のトラクタ側フレーム２とは反対側の先端側に一端側である基端側が回動可能に連結され、この一端側である基端側の上下方向の回動中心軸線Ｙ2を中心として回動調節可能な細長形状の第２の連結アーム体35を備えており、この第２の連結アーム体35は基端側の回動中心軸線Ｙ2を中心とした回動により他端側である先端側が水平面に沿って往復移動する。
【００２６】
この第２の連結アーム体35は、例えば、長手方向に一直線状に形成された四角筒状の一本のアーム部材36、このアーム部材36の一端部に固定的に取り付けられた断面コ字形状の連結部材37等にて構成されている。
【００２７】
この連結部材37は、鉛直面に沿った取付け板部37aで連結された互いに上下に離間対向した上板部37bおよび下板部37cを有し、これらの上板部37bおよび下板部37cによって第２の支軸体38が支持され、この第２の支軸体38の軸方向は上下方向に一致しており、この第２の支軸体38は第１の支軸体15と平行に配置されている。
【００２８】
そして、この第２の支軸体38は、図５に示されるように、第１の連結アーム体23の先端側の第２の連結部25b内に回動可能に挿通保持されており、第２の連結アーム体35はこの第２の支軸体38の軸心を通る線、すなわち回動中心軸線Ｙ2を中心として第１の連結アーム体23に対して回動調節可能とされている。
【００２９】
また、アーム部材36は、長手方向の一端部が連結部材37の取付け板部37aに固着され、長手方向の中央近傍上面には軸方向が上下方向に一致した連結軸部48が上方に向って突出形成されており、この連結軸部48に、第２の連結アーム体35の回動を規制してこの第２の連結アーム体35を第１の連結アーム体23に対して固定する細長板形状の第２の固定体39の長手方向の一端部が回動可能に連結されている。この第２の固定体39は、長手方向の一端部を中心として水平面に沿って揺動自在に配置され、長手方向の他端部である自由端部には上下面に貫通した挿通孔40が開口形成されている。
【００３０】
さらに、アーム部材36の長手方向の他端部には、例えば上下に貫通したオフセット量調節用の複数、例えば二つの調節用孔41，41が形成されている。二つの調節用孔41，41は、アーム部材36の長手方向に間隔を介して並んで配置されている。なお、第２の連結アーム体35は、図５に示されるように、傾斜状の第１の連結アーム体23とは異なり、水平状に位置している。
【００３１】
そして、図１に示すように、第１の固定体27の第１孔28と、トラクタ側フレーム２のピン保持板21のピン挿通用孔22とを上下に一致させた状態で、これらの第１孔28およびピン挿通用孔22に操作体としての第１の操作ピン43を挿通して装着するとともに、第２の固定体39の挿通孔40と、第１の連結アーム体23の一側ピン保持板31のピン挿通用孔32とを上下に一致させた状態で、これらの挿通孔40およびピン挿通用孔32に操作体としての第２の操作ピン44を挿通して装着すると、第１の連結アーム体23および第２の連結アーム体35がトラクタ側フレーム２に対して固定され、土作業手段45がトラクタＴの前進走行に基づいて畦塗り作業可能な前進作業姿勢に設定された状態となる。なお、この状態では、第２の連結アーム体35の回動中心軸線Ｙ2は、トラクタＴの左右方向中心線Ｘ上には位置せず、左右方向中心線ＸからトラクタＴの一側である右側に所定距離だけずれた位置に位置する。また、第２の連結アーム体35は、第２の連結アーム体35の長手方向が畦塗り機１の左右水平方向に略一致した状態に位置する。
【００３２】
また、図２に示すように、図１の土作業手段45の前進作業姿勢状態から、第１の操作ピン43のみを一旦抜き取り、第１の連結アーム体23を回動中心軸線Ｙ1を中心として第２の連結アーム体35等とともに所定量回動させ、第１の固定体27の第２孔29と、トラクタ側フレーム２のピン保持板21のピン挿通用孔22とを上下に一致させた状態とし、これらの第２孔29およびピン挿通用孔22に第１の操作ピン43を挿通して装着し直すと、第１の連結アーム体23および第２の連結アーム体35がトラクタ側フレーム２に対して固定され、土作業手段45がトラクタＴの後方位置に位置する非作業姿勢に設定された状態となる。なお、この状態では、第２の連結アーム体35の回動中心軸線Ｙ2は、トラクタＴの左右方向中心線Ｘ上には位置せず、左右方向中心線ＸからトラクタＴの他側である左側に所定距離だけずれた位置に位置する。
【００３３】
さらに、図３に示すように、図２の土作業手段45の非作業姿勢状態から、今度は、第２の操作ピン44のみを一旦抜き取り、第１の連結アーム体23を固定させたまま、第２の連結アーム体35を回動中心軸線Ｙ2を中心として所定量回動させ、第２の固定体39の挿通孔40と、第１の連結アーム体23の他側ピン保持板33のピン挿通用孔34とを上下に一致させた状態とし、これらの挿通孔40およびピン挿通用孔34に第２の操作ピン44を挿通して装着し直すと、第１の連結アーム体23および第２の連結アーム体35がトラクタ側フレーム２に対して固定され、土作業手段45がトラクタＴの後退走行に基づいて畦塗り作業可能な後退作業姿勢に設定された状態となる。
【００３４】
なお、この状態では、第２の連結アーム体35の回動中心軸線Ｙ2は、トラクタＴの左右方向中心線Ｘ上には位置せず、左右方向中心線ＸからトラクタＴの他側である左側に所定距離だけずれた位置に位置する。また、第２の連結アーム体35は、第２の連結アーム体35の長手方向が畦塗り機１の左右水平方向に略一致した状態に位置する。
【００３５】
また一方、畦塗り機１の畦塗り機本体1aは、図１ないし図５に示すように、上述のように前進作業姿勢、非作業姿勢および後退作業姿勢に姿勢変更可能な土作業手段45を支持した移動可能な可動機枠である作業側フレーム51を備えている。この作業側フレーム51は、第２の連結アーム体35の先端側に取り付けられており、第１の連結アーム体23の回動調節および第２の連結アーム体35の回動調節に応じて土作業手段45とともに回動調節可能とされている。また、作業側フレーム51は、第２の連結アーム体35の先端側に、土作業手段45の左右方向の位置を調節すなわちトラクタＴの左右方向中心線Ｘからの距離を調節できるように、畦塗り機１の左右方向に沿って往復直線移動可能とされている。
【００３６】
この作業側フレーム51は、一端面が開口した四角筒形状のアーム連結部52を有し、このアーム連結部52内に、第２の連結アーム体35のアーム部材36の先端部がスライド自在に挿入されている。
【００３７】
そして、作業側フレーム51のアーム連結部52に形成されたピン挿通用孔54と、第２の連結アーム体35の選択された一の調節用孔41とを上下に一致させた状態で、これらの調節用孔41およびピン挿通用孔54に操作体としての調節ピン55を挿通して装着すると、作業側フレーム51が第２の連結アーム体35に対して固定され、土作業手段45がトラクタＴの大きさ、すなわち、例えば車輪幅寸法に応じた所定の作業位置に調節された状態、すなわち、トラクタＴの左右方向中心線Ｘからのずれ量（オフセット量）が所定量に調節された状態となる。
【００３８】
一方、アーム連結部52の上面には、調節体取付け部としての調節体取付け部材57が固着され、この調節体取付け部材57は例えばアーム連結部52の上面から上方に向って突出した二つの板部56，56にて形成されている。一方、アーム連結部52の下面には、断面コ字形状の支軸体取付け部材58が下方に向って突出した状態に固着されている。
【００３９】
そして、調節体取付け部材57には、細長板形状に形成された作業深さ調節用の調節体60の長手方向の一端部である基端部が、水平状のピン61を介して回動可能に取り付けられている。この調節体60は、先端側が昇降するように基端部を中心として略鉛直面に沿って揺動自在に配置され、先端部には左右に貫通した複数、例えば三つの調節用孔62，62，62が開口形成され、これらの三つの調節用孔62，62，62は調節体60の長手方向に互いに等間隔を介して並んで位置している。
【００４０】
また、支軸体取付け部材58は、互いに左右に離間対向した板部58a，58b間に支軸体65が水平状に架け渡され、この支軸体65の軸方向は水平方向に一致している。この支軸体65には、前後方向に長手方向を有する細長形状の支持アーム66の基端部が回動可能に取り付けられている。この支持アーム66は、先端側が昇降するように基端部を中心として略鉛直面に沿って揺動自在に配置され、先端部近傍の上面には互いに左右に離間対向した一対のピン保持部67，67が突出形成され、各ピン保持部67には左右に貫通したピン挿通用孔68が開口形成されている。
【００４１】
そして、支持アーム66のピン挿通用孔68と、調節体60の選択された一の調節用孔62とを左右に一致させた状態で、これらの調節用孔62およびピン挿通用孔68に操作体としての調節ピン69を挿通して装着すると、支持アーム66がアーム連結部52に対して固定され、土作業手段45が圃場の土の状態等に応じた所定の作業位置に調節された状態、すなわち、所定の作業深さ位置に調節された状態となる。
【００４２】
すなわち、この回動調節可能な支持アーム66には、支持アーム66の前端部および後端近傍の各々に位置する複数の取付け枠71を介して単一伝動ケース72が取り付けられており、この単一伝動ケース72は、支持アーム66によって吊下げ状態に支持され、この支持アーム66とともにこの支持アーム66と一体となって支軸体65を中心として回動調節可能とされている。つまり、単一伝動ケース72は、図５に示すように、支軸体65の軸心を通る線（左右水平方向の回動中心軸線Ａ）を中心として回動調節可能、すなわち、前端側が昇降するように後端側の回動中心軸線Ａを中心として回動調節可能とされている。
【００４３】
ここで、単一伝動ケース72は、一つのユニットとして形成され、土作業手段45を支持する支持フレームの機能を備えたもので、図６に示すように、中空状の入力軸用支持部74を有し、この入力軸用支持部74の一側面側である前面側から略細長円筒形状で中空状のロータリー用支持部75が畦塗り機１の前方に向って突出形成され、入力軸用支持部74の他側面側である後面側から中空状の畦塗り体用支持部76が畦塗り機１の後方に向って突出形成されている。
【００４４】
この入力軸用支持部74は、駆動軸である中間入力軸82を複数の軸受け部材81を介して回転可能に水平状に支持しており、この中間入力軸82の先端側は、入力軸用支持部74の一側面である左側面に開口形成された円形の挿通口74aを介して入力軸用支持部74外に突出して露出している。
【００４５】
この中間入力軸82の入力軸用支持部74外に突出した先端部には、一端側を連結部材13aを介して入力軸12に連結した動力伝達軸体13の軸本体部材13cの他端側が連結部材13bを介して連結されている。連結部材13aおよび連結部材13bは、それぞれ、例えばダブル広角のユニバーサルジョイント等であり、連結部材13a、連結部材13bおよび軸本体部材13c等にて動力伝達軸体13が構成されている。また、図１に示されるように、中間入力軸82の軸方向は、畦塗り機１の左右水平方向に略一致しており、平面からみて、入力軸12の軸方向と直交している。
【００４６】
また、中間入力軸82の入力軸用支持部74内に収容された基端部には、第１べベルギア83および第１ギア84が軸方向に並んで固着されている。この中間入力軸82の第１べベルギア83には、複数の軸受け部材85にて回転可能に軸支された中間連絡軸86の第２べベルギア87が噛み合わされ、この中間連絡軸86の第２ギア88にロータリー出力軸91の第３ギア92が噛み合わされている。なお、第１べベルギア83、第２べベルギア87、第１ギア84、第２ギア88、第３ギア92および中間連絡軸86は、入力軸用支持部74内に収容されている。
【００４７】
このロータリー出力軸91は、ロータリー用支持部75によって軸方向が前後方向に一致した状態に支持されており、このロータリー出力軸91は、入力軸用支持部74内に設けられた一方の軸受け部材93と、ロータリー用支持部75の先端に設けられた他方の軸受け部材94とで回転可能に軸支され、基端部を除く部分がロータリー用支持部75内に収容されている。また、図４に示されるように、ロータリー出力軸91の回転中心軸線は、畦塗り機１の前後水平方向に一致している。
【００４８】
そして、ロータリー出力軸91のロータリー用支持部75外に挿通口75aを介して突出した先端部に、爪取付け部材95が直結固着され、この爪取付け部材95に複数の爪96が放射状に取り付けられている。そして、これらの爪96、爪取付け部材95等にて前処理体としてのロータリー98が構成され、このロータリー98はロータリー出力軸91を介して単一伝動ケース72のロータリー用支持部75にて回転可能に支持されている。このロータリー98は、トラクタＴからの駆動力を受けて、ロータリー出力軸91と一体となって回転し、畦塗り用の土を耕耘して跳ね上げる。なお、ロータリー98の上方および側方には、図１に示されるように土の飛散を防止するカバー体99が配置されている。
【００４９】
一方、入力軸用支持部74にて支持された中間入力軸82の第１ギア84には、畦塗り体出力軸101の第４ギア102が噛み合わされている。この畦塗り体出力軸101は、畦塗り体用支持部76によって軸方向が左右水平方向に一致した状態に支持されており、この畦塗り体出力軸101は、畦塗り体用支持部76内に設けられた複数の軸受け部材100にて回転可能に軸支されている。
【００５０】
また、畦塗り体出力軸101は、基端側半分が畦塗り体用支持部76内に収容され、先端側半分が畦塗り体用支持部76外に挿通口76aを介して突出している。なお、畦塗り体出力軸101の軸方向とロータリー出力軸91の軸方向とは平面視で直交し、ロータリー出力軸91の軸方向はトラクタＴの走行方向に一致し、畦塗り体出力軸101の軸方向はトラクタＴの走行方向と交差する方向に一致している。また、畦塗り体出力軸101の軸方向と支軸体65の軸方向とは、平面視で一致している。
【００５１】
なお、図５に示されるように、単一伝動ケース72の回動中心軸線Ａは、畦塗り体出力軸101の軸心を通る線である左右水平方向の回転中心軸線Ｂの近傍上方位置に位置し、この畦塗り体出力軸101の回転中心軸線Ｂと略平行に位置している。すなわち、単一伝動ケース72の回動中心軸線Ａは畦塗り体出力軸101の回転中心軸線Ｂと平面視で略一致している。
【００５２】
そして、畦塗り体出力軸101の畦塗り体用支持部76外に突出した先端部に、截頭円錐形状の環状部材104を介して畦塗り体105が取り付けられている。この畦塗り体105は、ロータリー98の後方位置に位置し、例えば、旧畦の上面部を整畦する円筒形状の上面塗り部材106、旧畦の傾斜状の側面部を整畦する截頭円錐形状の側面塗り部材107等にて構成されている。この畦塗り体105の上方には土の飛散を防止するカバー体108が配設されている。
【００５３】
そして、これらのロータリー98および畦塗り体105にて構成された土作業手段45が所定の作業位置に設定された状態で、トラクタＴ側からの駆動力が、入力軸12、動力伝達軸体13等を介して、中間入力軸82に入力されると、ロータリー出力軸91が回動駆動されるとともに畦塗り体出力軸101が回動駆動され、その結果、ロータリー98の爪96で畦塗り用の土が耕耘されて跳ね上げられ、この土が畦塗り体105の上面塗り部材106にて旧畦の上面部に塗り付けられ、側面塗り部材107にて旧畦の側面部に塗り付けられ、新畦が形成される。畦塗り体105の回転速度は、トラクタＴの車輪回転速度よりも速くなるように設定されている。
【００５４】
また一方、畦塗り機１の畦塗り機本体1aは、図４および図５に示すように、作業時に、圃場の土から受ける力によって土作業手段45のロータリー98および畦塗り体105の畦からの浮き上りを阻止する浮上り阻止手段111を備えている。
【００５５】
この浮上り阻止手段111は、支持アーム66および単一伝動ケース72のロータリー用支持部75に取付け部材112を介して固定的に取り付けた上下方向に長手方向を有する細長板状の支持体113を有し、この支持体113の下端部に圃場の土中を走行可能な土中走行体115がこの支持体113と一体となって形成されている。
【００５６】
この土中走行体115は、例えば、畦塗り体105の側面塗り部材107を旧畦の側面部に押え付ける側面塗り部材押付け部117と、畦塗り体105の上面塗り部材106を旧畦の上面部に押え付ける上面塗り部材押付け部116とにて構成されている。
【００５７】
この側面塗り部材押付け部117は、例えば、上下方向に長手方向を有する細長板形状に形成され、図１に示すように傾斜状に配置されている。すなわち、側面塗り部材押付け部117は、幅方向の一端側から他端側に向って、すなわち、走行方向の後端側から前端側に向って、トラクタＴの左右方向中心線Ｘからの距離が徐々に増大する方向に傾斜している。なお、図４に示すように、側面塗り部材押付け部117の走行方向前端縁部には地面を垂直状に切削する切削刃部117aが形成されている。
【００５８】
また、上面塗り部材押付け部116は、略四角板形状に形成され、図４に示すように、側面塗り部材押付け部117の下端部に傾斜状に固定されている。すなわち、上面塗り部材押付け部116は、走行方向の後端側から前端側に向って下方向に傾斜し、走行方向前端側が先細形状に形成されている。
【００５９】
そして、トラクタＴの走行に基づく土中走行体115の走行時に、側面塗り部材押付け部117の走行方向前方を向いた一側面に土圧が作用し、その結果、側面塗り部材107が走行方向一側である右方に付勢され、側面塗り部材107の外面側が旧畦の傾斜した側面部に比較的強い押圧力で押え付けられる。同時に、上面塗り部材押え部116の上面に土圧が作用し、その結果、上面塗り部材106が下方に付勢され、上面塗り部材106の下面側が旧畦の上面部に比較的強い押圧力で押え付けられる。このため、畦塗り体105にて固く締った畦が形成される。
【００６０】
なお、入力軸12、動力伝達軸体13、連結部材13a，13b、中間入力軸82、第１べベルギア83、第２べベルギア87、中間連絡軸86、第２ギア88、第３ギア92、ロータリー出力軸91、第１ギア84、第４ギア102、畦塗り体出力軸101等にて伝動手段110が構成され、この伝動手段110は、トラクタＴ側からの動力をロータリー98および畦塗り体105からなる土作業手段45に伝達するものである。
【００６１】
次に、上記一実施の形態を用いて、旧畦を補修する畦塗り作業を行う場合について説明する。
【００６２】
土作業である畦塗り作業を行うに際し、作業者は、トラクタＴの三点リンク機構Ｔ1を利用して畦塗り機本体1aを所定の高さ位置まで持ち上げて吊下げ保持した状態で、第１の操作ピン43および第２の操作ピン44等を適宜に操作して、ロータリー98および畦塗り体105からなる土作業手段45を図１の前進作業姿勢に設定する。
【００６３】
なお、この図１の前進作業姿勢時には、ロータリー98および畦塗り体105は、畦塗り機１の片側である右側に配置され、トラクタＴに対して右側方に突出しており、ロータリー98がトラクタＴ側に位置し、このロータリー98の後方に畦塗り体105が位置する。
【００６４】
また、トラクタＴの車輪幅寸法に応じて、調節ピン55の抜き差しにより、土作業手段45のオフセット量を調節する。すなわち、ロータリー98および畦塗り体105を、トラクタＴの一側である右側の車輪の後方位置より所定距離だけ畦側寄りに位置させる。
【００６５】
さらに、圃場の土の状態に応じて、調節ピン69の抜き差しにより、土作業手段45の作業深さを調節する。すなわち、作業側フレーム51の単一伝動ケース72を左右水平方向の回動中心軸線Ａを中心として回動調節することによって、圃場の土の状態等に応じてロータリー98の作業深さを設定する。例えば、図４に示すように、ロータリー98および畦塗り体105のそれぞれを同じ高さ位置に設定したり、或いは、図示しないが、ロータリー98を畦塗り体105より低い位置または高い位置に設定したりする。
【００６６】
こうして、ロータリー98および畦塗り体105を所定の前進作業姿勢に設定し、トラクタＴの三点リンク機構Ｔ1による持上げ保持を解除した後、トラクタＴの車輪を旧畦に沿わせながら、トラクタＴを前進走行方向に走行させると、このトラクタＴと一体となって畦塗り機１が圃場を走行し、土作業手段45のロータリー98で畦塗り用の土が耕耘されて跳ね上げられ、この跳ね上げられた土が畦塗り体105にて旧畦に塗り付けられて整畦され、新畦が形成される。運転席の作業者は、トラクタＴの車輪を旧畦に沿わせることで、トラクタＴを前進走行方向にまっすぐに走行させることができる。
【００６７】
また、この畦塗り機１の走行時には、浮上り阻止手段111の土中走行体115は、圃場の土の中を走行し、この土中走行体115には所定方向の土圧が作用し、その結果、畦塗り機１の重量がその分だけ増大し、畦塗り体105の側面塗り部材107が旧畦の傾斜した側面部に比較的強い押圧力で押え付けられ、畦塗り体105の上面塗り部材106が旧畦の上面部に比較的強い押圧力で押え付けられ、固く締った新畦が形成される。
【００６８】
そして、新畦形成が進み、トラクタＴが圃場の端部に到達した場合、運転席の作業者は、トラクタＴのハンドルをきってトラクタＴの向きを反対にする。
【００６９】
次いで、作業者は、トラクタＴの三点リンク機構Ｔ1を利用して畦塗り機１を所定の高さ位置に持上げ保持した状態で、第１の操作ピン43を一旦抜き取り、第１の連結アーム体23を回動中心軸線Ｙ1を中心として第２の連結アーム体35、作業側フレーム51等とともに所定量回動させ、第１の固定体27の第２孔29と、トラクタ側フレーム２のピン保持板21のピン挿通用孔22とを上下に一致させた状態とし、これらの第２孔29およびピン挿通用孔22に第１の操作ピン43を挿通して装着し直す。
【００７０】
また、作業者は、第２の操作ピン44を一旦抜き取り、第１の連結アーム体23を固定させたまま、第２の連結アーム体35を回動中心軸線Ｙ2を中心として作業側フレーム51等とともに所定量回動させ、第２の固定体39の挿通孔40と、第１の連結アーム体23の他側ピン保持板33のピン挿通用孔34とを上下に一致させた状態とし、これらの挿通孔40およびピン挿通用孔34に第２の操作ピン44を挿通して装着し直す。なお、伝動手段110の動力伝達軸体13は、第１の連結アーム体23の回動調節時および第２の連結アーム体35の回動調節時において、入力軸12および中間入力軸82と連結させたままでよく、連結解除する必要はない。
【００７１】
すると、ロータリー98および畦塗り体105が、トラクタＴの後退走行に基づいて畦塗り作業可能な図３の後退作業姿勢に設定された状態となる。
【００７２】
この図３の後退作業姿勢時には、ロータリー98および畦塗り体105は、畦塗り機１の片側である左側に配置され、トラクタＴに対して左側方に突出しており、畦塗り体105がトラクタＴ側に位置し、この畦塗り体105の後方にロータリー98が位置する。なお、図３の後退作業姿勢状態では、ロータリー98および畦塗り体105は、上述の図１の前進作業姿勢時に比べて、トラクタＴに対する突出量（トラクタＴの左右中心線Ｘからの距離）が大きくなるように設定されている。
【００７３】
そして、作業者は、トラクタＴの三点リンク機構Ｔ1による持上げ保持を解除した後、トラクタＴの車輪と新畦との空間を維持したまま、トラクタＴを後退走行方向に走行させる。
【００７４】
すると、トラクタＴと一体となって畦塗り機１が圃場を走行し、土作業手段45のロータリー98で畦塗り用の土が耕耘されて跳ね上げられ、この跳ね上げられた土が畦塗り体105にて旧畦に塗り付けられて整畦され、新畦が形成される。このとき、トラクタＴの車輪で新畦を潰してしまうことがなく、また、ロータリー98にて圃場面に形成された凹部に車輪が落ち込み、トラクタＴが傾いてしまうこともない。
【００７５】
一方、作業者は、畦塗り機１の運搬時、畦塗り機１のトラクタＴへの脱着時等には、作業者は、ロータリー98および畦塗り体105からなる土作業手段45を図２の非作業姿勢に設定する。
【００７６】
すなわち、図２に示すように、土作業手段45であるロータリー98および畦塗り体105を、トラクタＴの走行方向と交差する傾斜方向に並べた状態として、トラクタＴの後方位置に設定する。
【００７７】
このトラクタＴの後方位置とは、例えば、畦塗り機１を持上げ保持した状態でのトラクタＴの左右重量バランスを良好にできるように、畦塗り機１全体の重心がトラクタＴの後方で左右方向中心線Ｘ上に位置する位置、或いは、例えば、畦塗り機１のトラクタＴ側方への出っ張りを少なくできるように、畦塗り機１の左右方向の寸法（幅方向寸法）の中心がトラクタＴの後方で左右方向中心線Ｘ上に位置する位置である。なお、トラクタＴの後方位置は、畦塗り機１全体の重心および畦塗り機１の左右方向の寸法（幅方向寸法）の中心が、ともにトラクタＴの後方で左右方向中心線Ｘ上に位置する位置であればより好ましい。
【００７８】
このようにして、上記一実施の形態によれば、第１の連結アーム体23の回動調節および第２の連結アーム体35の回動調節により、ロータリー98および畦塗り体105を前進作業姿勢および後退作業姿勢に設定できるので、圃場全体にわたって土作業を行うことができ、旧畦の未作業部分が生じることがなく、作業効率を向上できる。
【００７９】
また、トラクタ側フレーム２に、ともに回動調節可能な第１の連結アーム体23および第２の連結アーム体35を介して作業側フレーム51を連結した構成であるので、ロータリー98および畦塗り体105を保持したトラクタ側フレーム２に直線状の一本の連結アーム体を介して作業側フレーム51を連結した構成等に比べて、ロータリー98および畦塗り体105をトラクタＴ寄りの前方位置に設定でき、作業時および移動時のトラクタＴの前後バランスを良好にできる。すなわち、畦塗り機１を含むトラクタＴ全体の前後方向の長さを短くでき、前後の重量バランスが良くなる。
【００８０】
しかも、ロータリー98および畦塗り体105をトラクタＴ寄りの前方位置に設定できるため、前進作業姿勢の作業時に生じる未作業部分を少なくできる。
【００８１】
さらに、トラクタ側フレーム２と作業側フレーム51との間を動力伝達軸体13と第１の連結アーム体23および第２の連結アーム体35との二つの部材のみで連結した構成であり、かつ、従来のロータリー用伝動ケースおよび畦塗り体用伝動ケースの両方の機能を単一伝動ケース72に持たせた構成であるので、畦塗り機全体の重量が軽く、小型のトラクタに最適であり、しかも、従来の畦塗り機に比べて、部品点数が少なく、製造、メンテナンスを容易にでき、きわめて安価に製造できる。
【００８２】
また、単一伝動ケース72にて、中間入力軸82をこの中間入力軸82の軸方向を左右水平方向に略一致させた状態に回転可能に支持させた構成であるので、トラクタ側フレーム２に第１の連結アーム体23および第２の連結アーム体35を介して作業側フレーム51を連結した構成であることと相俟って、ロータリー98および畦塗り体105をトラクタＴ寄りの前方位置であるトラクタＴの近傍位置に設定でき、作業時および移動時のトラクタＴの前後バランスを確実に良好にできる。
【００８３】
すなわち、単一伝動ケース72の入力軸用支持部74で支持した中間入力軸82は、軸方向を畦塗り機１の左右水平方向に略一致させたので、中間入力軸82の軸方向を畦塗り機１の前後方向に一致させた構成等に比べて、動力伝達軸体13の折れ角度を小さくでき、ロータリー98および畦塗り体105をトラクタＴ寄りの位置に設定できる。
【００８４】
また、単一伝動ケース72は、左右水平方向の回動中心軸線Ａを中心として回動調節することによって、圃場の土の状態等に応じてロータリー98の作業深さを畦塗り体105の高さ位置を基準として容易に設定でき、作業状況に適切に対応できる。
【００８５】
さらに、伝動手段110の動力伝達軸体13は、ロータリー98および畦塗り体105の姿勢変更の際に、両端側が連結部材13a，13bを介して入力軸12および中間入力軸82と連結した状態のまま、第１の連結アーム体23の回動および第２の連結アーム体35の回動すなわち単一伝動ケース72の回動に応じて、入力軸12側の端部の上下方向の回動中心軸線を中心として回動するとともに、軸方向に必要量だけ適宜伸縮するので、ロータリー98および畦塗り体105の姿勢設定時に、動力伝達軸体13の連結状態を一旦解除する操作を要する構成等に比べて、ロータリー98および畦塗り体105の作業姿勢を容易に設定できる。
【００８６】
また一方、小型のトラクタに適した小型の畦塗り機１であり、畦塗り機１全体の重量も軽いが、浮上り阻止手段111がロータリー98および畦塗り体105の浮上りを阻止するので、ロータリー98で畦塗り用の土を適切に耕耘して跳ね上げることができ、畦塗り体105で固く締った畦を形成できる。
【００８７】
次に、図７および図８に示す他の実施の形態の畦塗り機１について説明する。
【００８８】
この図７および図８に示す畦塗り機１は、上述の図１ないし図６に示す畦塗り機１とは異なり、回動中心軸線Ａを中心として回動調節可能な単一伝動ケース72側に設けられたスタンド121を備え、このスタンド121で畦塗り機本体1aを持上げ支持した状態時に単一伝動ケース72を作業側フレーム51に対して相対的に回動調節することによりトラクタ連結部４の高さ位置を設定可能な構成とされている。
【００８９】
このスタンド121は、単一伝動ケース72の支持アーム66の先端部に固着されたスタンドホルダ122と、このスタンドホルダ122に着脱可能に取り付けられた左右一対のスタンド本体123とを有している。
【００９０】
スタンドホルダ122は、四角パイプにて形成された左右方向に細長状の連結部125を有し、この連結部125の長手方向の中央部が回動可能な支持アーム66の先端部に連結固定されている。また、連結部125の長手方向の両端部には断面コ字形状をなす左右一対のホルダ部126，126が形成されており、ホルダ部126は上下方および後方に向って開口している。このホルダ部126の上端縁部には係合凹部127が切欠き形成されているとともに、ホルダ部126の下部に左右に貫通したピン挿通用孔部128が開口形成されている。
【００９１】
スタンド本体123は、前後端部にキャスタ131，131が取り付けられたベース部132を有し、このベース部132からは円形パイプ等にて形成された支持杆部133が上方に向って突出しており、この支持杆部133の上端部に挿入部134が形成されている。この挿入部134には両側方に突出した係合突起135が形成されているとともに左右に貫通したピン挿通用孔部136が形成されている。
【００９２】
そして、畦塗り機本体1aを一旦持ち上げてスタンドホルダ122のホルダ部126内にスタンド本体123の挿入部134を挿入し、この挿入部134の係合突起135をホルダ部126の係合凹部127に係脱自在に係合させる。その後、互いに連通したピン挿通用孔部128，136に抜差しピン140を挿通装着し、スタンドホルダ122に対してスタンド本体123を固定する。こうして、スタンド121によって、畦塗り機本体1aが所定の高さ位置に持上げ支持された状態となる。なお、畦塗り作業時には、スタンド121が作業の邪魔とならないよう、例えば、スタンドホルダ122からスタンド本体123を取り外したり、或いは、スタンド本体123を上下逆にして取り付けたりする。
【００９３】
一方、図７および図８に示すトラクタＴは、上述の図１に示すトラクタＴとは異なり、作業機連結部Ｔ1を二点ヒッチ式とした構成とされている。この二点ヒッチ式の作業機連結部Ｔ1は、畦塗り機本体1a後方に向って開放したＵ字状枠部材にて形成された下側の左右一対の受け凹部141，141を有するとともに、互いに回動自在に連結された二本のアーム部材にて形成された上側の左右一対のリフトアーム部142，142を有している。なお、二点ヒッチ式の作業機連結部Ｔ1の高さ位置はトラクタＴの大きさに応じて異なっている。
【００９４】
また、この二点ヒッチ式の作業機連結部Ｔ1に対応して図７および図８に示す畦塗り機１のトラクタ連結部４は、受け凹部141内に後方から略水平方向に沿って入り込みこの受け凹部141に固定具としての止めピン143で固定される下側の左右一対の連結軸部145，145を有するとともに、リフトアーム部142の先端部に固定具としての止めピン（図示せず）で固定される左右一対のアーム連結突部146，146を有している。なお、連結軸部145は、例えばベース部３の側板部18,19の下部から前方に突出した突出部3aの先端部に軸方向が左右水平方向に一致した状態に形成されている。また、アーム連結突部146は、例えばベース部３の側板部18,19の外面下部に側方に向って水平状に突出形成されている。
【００９５】
さらに、この図７および図８に示す畦塗り機１は、上述の図１ないし図６に示す畦塗り機１とは異なり、複数の調節用孔62を形成した調節体60に代えて、把持操作部151を有するねじ方式の調節体150を有している。この作業深さ調節用の調節体150の上端部は調節体取付け部材57に水平状のピン61を介して回動可能に取り付けられ、この調節体150の下端部は支持アーム66の取付け部152に水平状のピン153を介して回動可能に取り付けられている。
【００９６】
そして、把持操作部151の回動操作で、作業側フレーム51に対して単一伝動ケース72を回動中心軸線Ａを中心として相対的に回動調節することにより、ロータリー98の作業深さを設定したり、トラクタ連結部４の高さ位置を設定したりできる。
【００９７】
すなわち、畦塗り機本体1aがトラクタＴに装着されてこのトラクタＴによって所定の高さ位置に吊下げ保持された状態時に、圃場の土の状態等に応じて把持操作部151を回動操作することにより、単一伝動ケース72を回動中心軸線Ａを中心として作業側フレーム51に対して回動調節でき、よって、ロータリー98の作業深さを設定できる。また一方、トラクタＴへの装着前に畦塗り機本体1aがスタンド121によって所定の高さ位置に持上げ支持された状態時に、トラクタＴの二点ヒッチ式の作業機連結部Ｔ1の高さ位置に応じて把持操作部151を回動操作することにより、作業側フレーム51を回動中心軸線Ａを中心として単一伝動ケース72に対して回動調節でき、よって、トラクタ連結部４の高さ位置を設定できる。
【００９８】
なお、図７および図８に示す畦塗り機１は、その他の部分については、上述の図１ないし図６に示す畦塗り機１と略同一の構成とされている。
【００９９】
そして、この図７および図８に示す畦塗り機１をトラクタＴに装着する場合について説明する。
【０１００】
まず、スタンド121にて、畦塗り機本体1aを地面から離れた持ち上げ状態に支持する。次いで、図７に示すように、把持操作部151の回動操作によって、単一伝動ケース72を回動中心軸線Ａを中心として作業側フレーム51に対して相対的に回動調節することにより、畦塗り機本体1aの前端部のトラクタ連結部４の連結軸部145の高さ位置を、トラクタＴの後端部の二点ヒッチ式の作業機連結部Ｔ1の受け凹部141の高さ位置に一致させる。
【０１０１】
そして、トラクタＴを後退走行させることにより、作業機連結部Ｔ1の受け凹部141内にトラクタ連結部４の連結軸部145を後方から収容位置させ、その後、上方から止めピン143を差し込み、これにより、受け凹部141に連結軸部145を固定する。次いで、作業機連結部Ｔ1のリフトアーム部142の先端部を作業機連結部Ｔ1のアーム連結突部146に図示しない止めピンを用いて連結固定する。
【０１０２】
その後、ユニバーサルジョイントを用いて、トラクタＴのＰＴＯ軸と畦塗り機本体1aの入力軸12とを繋ぐ。こうして、畦塗り機１のトラクタＴへの装着作業が完了する。
【０１０３】
よって、このような図７および図８に示す畦塗り機１によれば、上述の図１ないし図６に示す畦塗り機１と同様の作用効果を奏するのみならず、単一伝動ケース72を相対的に回動調節することによりトラクタ連結部４の高さ位置を適宜に設定できるので、作業者自身で畦塗り機本体1aを持ち上げつつトラクタ連結部４の高さ位置を設定しなければならない構成等に比べて、畦塗り機１を二点ヒッチ式のトラクタＴに簡単に装着できる。
【０１０４】
また、スタンド121や畦塗り機本体1aに、トラクタ連結部４の高さ位置設定のためのみの機構を設ける必要がないので、スタンド121や畦塗り機本体1aの構成を簡単にでき、組立て作業が容易で、製造コストを低減できる。
【０１０５】
なお、スタンド121は、単一伝動ケース72の支持アーム66の先端部に固着されたスタンドホルダ122を有した構成として説明したが、例えば、図示しないが、スタンドホルダ122を単一伝動ケース72に直接固着した構成でもよく、或いは、スタンドホルダ122を設けることなくスタンド本体123をねじ等の固定具を用いて単一伝動ケース72側に着脱可能に設けた構成とすることもできる。
【０１０６】
また、図示しないが、図１ないし図６に示す畦塗り機１の単一伝動ケース72側に、同様のスタンド121を設けてもよい。
【０１０７】
さらに、上記いずれの実施の形態においても、単一伝動ケース72は、この単一伝動ケース72の回動中心軸線Ａが畦塗り体出力軸101の回転中心軸線Ｂ（畦塗り体105の回転中心軸線）の近傍上方位置にこの畦塗り体出力軸101の回転中心軸線Ｂと略平行に位置するように配置した構成について説明したが、例えば、図示しないが、単一伝動ケース72の回動中心軸線Ａを畦塗り体出力軸101の回転中心軸線Ｂの近傍下方位置に位置させた構成、或いは、単一伝動ケース72の回動中心軸線Ａを畦塗り体出力軸101の回転中心軸線Ｂと同じ高さに位置させてこの回転中心軸線Ｂと略一致させた構成とすることもできる。
【０１０８】
そして、単一伝動ケース72の回動中心軸線Ａと畦塗り体出力軸101の回転中心軸線Ｂとを略一致させた構成とすると、畦塗り体105の高さ位置を一定に維持しつつ、畦塗り体105を高さ位置を基準としてロータリー98のみの作業深さを適切に設定できる。
【０１０９】
また、上記いずれの実施の形態でも、作業側フレーム51は、土作業手段45の左右方向の位置を調節できるように第２の連結アーム体35の先端側に往復移動可能に連結した構成として説明したが、例えば、第２の連結アーム体35の先端部を作業側フレーム51のアーム連結部に連結固定した構成でもよい。
【０１１０】
さらに、上記いずれの実施の形態でも、浮上り阻止手段111は、支持体113の下端部に土中走行体115を一体形成した構成として説明したが、例えば、土中を走行する土中走行体115と、地面の上を走行する支持体113とを別体の構成としてもよく、支持体113は土中走行体115を支持可能な部材であればよく、例えば、支持体113は上端から下端に向って徐々に走行方向前方に傾斜状に配置した構成には限定されず、上下方向に直線状に配置した構成でもよく、また、土中走行体115のみを前端側が畦側に向う方向に傾斜状とした構成、すなわち、細長板状の支持体113を畦塗り機１の前後方向に沿った鉛直面上に配置しかつ細長板状の土中走行体115を畦塗り機１の前後方向に対して傾斜した傾斜方向に沿った鉛直面上に配置し、この土中走行体115が走行方向後端から前端に向って畦側に接近する方向に傾斜した傾斜状に位置するようにした構成でもよい。
【０１１１】
なお、土中走行体115は、側面塗り部材押付け部117および上面塗り部材押付け部116の両方を有する構成として説明したが、例えば、側面塗り部材押付け部117および上面塗り部材押付け部116のいずれか一方のみを有する構成でもよい。
【０１１２】
また、上記いずれの実施の形態でも、畦塗り機１は、畦塗り機１の姿勢設定に際し、第１の操作ピン43、第２の操作ピン44、調節ピン55，69の抜き差し等、作業者の手作業を必要とする構成として説明したが、例えば、流体圧シリンダ等の駆動手段およびこの駆動手段を制御する制御手段等を利用することにより、作業者の手作業を要しない全自動の構成とすることもできる。なお、第１の操作ピン43、第２の操作ピン44および調節ピン55，69の抜き差し方式に代えて、ねじ等を用いたねじ方式の構成とすることもできる。
【０１１３】
【発明の効果】
請求項１記載の発明によれば、ロータリー用伝動ケースおよび畦塗り体用伝動ケースの両方の機能を単一伝動ケースに持たせることによって、ロータリー用伝動ケースと畦塗り体用伝動ケースとを一体の構成としたので、畦塗り機全体の重量が軽く、小型のトラクタに最適であり、また、単一伝動ケースを左右水平方向の回動中心軸線を中心として回動調節することによって、圃場の土の状態等に応じてロータリーの作業深さを容易に設定できる。また、単一伝動ケースを回動調節することによりトラクタ連結部の高さ位置を設定できるので、畦塗り機をトラクタに簡単に装着できる。
【０１１４】
請求項２記載の発明によれば、例えば単一伝動ケースの回動中心軸線と畦塗り体出力軸の回転中心軸線とを同じ水平面内に位置させた構成等と比べて、畦塗り体の高さ位置の変動を小さくできる。
【０１１５】
請求項３記載の発明によれば、単一伝動ケースのロータリー用支持部で、ロータリーが先端部に固着されたロータリー出力軸を適切に支持でき、単一伝動ケースの畦塗り体用支持部で、畦塗り体が先端部に固着された畦塗り体出力軸を適切に支持できる。
【図面の簡単な説明】
【図１】本発明の畦塗り機の一実施の形態を示す作業時の平面図である。
【図２】同上畦塗り機の非作業時における平面図である。
【図３】同上畦塗り機の後退作業時における平面図である。
【図４】同上畦塗り機の側面図である。
【図５】同上畦塗り機の後面図である。
【図６】同上畦塗り機の伝動手段の断面図である。
【図７】本発明の畦塗り機の他の実施の形態を示すトラクタへの装着時の側面図である。
【図８】同上畦塗り機の平面図である。
【符号の説明】
１    畦塗り機
1a    畦塗り機本体
４    トラクタ連結部
72    単一伝動ケース
75    ロータリー用支持部
76    畦塗り体用支持部
91    ロータリー出力軸
98    ロータリー
101   畦塗り体出力軸
105   畦塗り体
110   伝動手段
121   スタンド
Ａ    単一伝動ケースの回動中心軸線
Ｂ    畦塗り体出力軸の回転中心軸線
Ｔ    トラクタ
【図１】
0003628950.tif 000002
【図２】
0003628950.tif 000003
【図３】
0003628950.tif 000004
【図４】
0003628950.tif 000005
【図５】
0003628950.tif 000006
【図６】
0003628950.tif 000007
【図７】
0003628950.tif 000008
【図８】
0003628950.tif 000009